(57)【要約】改善された耐久性を有する電力ケーブル、関連付けられた組立および使用の方法が、本明細書で説明される。電力ケーブルは、埋め込み可能循環ポンプシステムの給電における使用のために適合される。ケーブルは、ケーブル屈曲中、互いに対して移動するようにゆるく詰められた絶縁されていないワイヤストランドの１つ以上の導体を含む。ドライブラインケーブルは、伝導性材料の複数の導体を含み、各々は、絶縁されていないゆるく詰められたワイヤストランドの複数の絶縁されていない束から成り、中心コアの周りに巻かれる。ケーブルは、少なくとも６つの導体を含み、各導体は、３０ゲージ以上の少なくとも２００本のワイヤストランドを有する。ケーブルは、リッツ式構成で巻き付けられた複数のワイヤストランドを含み、低コスト、改善された電気接続の完全性、および減少した径で多数の使用サイクルにわたり改善された耐久性を提供し得る。
2017535304.tif 000002
【特許請求の範囲】
【請求項１】
埋め込み可能心臓ポンプのためのドライブラインケーブルであって、前記ドライブラインケーブルは、
前記ケーブルの縦軸に沿って巻き付けられた複数の導体であって、各導体は、外側絶縁層内に配置された複数の絶縁されていないワイヤストランドを備え、各ケーブル内の前記複数の絶縁されていないワイヤストランドは、前記導体が屈曲させられた場合、前記絶縁されていないワイヤストランドの大部分が他のワイヤストランドに対して移動可能であるように、ゆるく詰められている、複数の導体と、
前記巻き付けられた複数の導体の周りに配置された外側外被と
を備えている、ドライブラインケーブル。
【請求項２】
各導体の前記複数のストランドは、前記導体の縦軸に沿って第１のパターンで一緒に巻き付けられたワイヤストランドの複数の絶縁されていない束を備えている、請求項１に記載のドライブラインケーブル。
【請求項３】
各束は、それぞれの束の縦軸に沿って第２のパターンで一緒に巻き付けられたワイヤストランドの複数の房を備えている、請求項２に記載のドライブラインケーブル。
【請求項４】
ワイヤストランドの各房は、それぞれの房の縦軸に沿って第３のパターンで一緒に巻き付けられたワイヤストランドの群を備えている、請求項３に記載のドライブラインケーブル。
【請求項５】
前記複数の絶縁された導体は、前記ケーブルの縦軸に沿って第４のパターンで巻き付けられている、請求項４に記載のドライブラインケーブル。
【請求項６】
前記第３のパターンは、前記導体を中心コアの周囲に前記コアの縦軸に沿って０．７５インチ以下のピッチで巻くことを含む、請求項４に記載のドライブラインケーブル。
【請求項７】
前記第１、第２、および第３のパターンは、リッツワイヤ巻き付け構成のそれらに対応する、請求項４に記載のドライブラインケーブル。
【請求項８】
前記リッツワイヤ巻き付け構成は、タイプ５リッツワイヤ構成に対応する、請求項４に記載のドライブラインケーブル。
【請求項９】
各導体の前記複数のワイヤストランドは、３×３×３２構成で巻き付けられている、請求項４に記載のドライブラインケーブル。
【請求項１０】
各導体の前記複数のワイヤストランドは、３０ゲージ以上であり、各導体は、ワイヤストランドの複数の房を備え、各房は、前記複数のワイヤストランドのうちの少なくとも３２本のワイヤストランドを有する、請求項１に記載のドライブラインケーブル。
【請求項１１】
各導体の前記複数のワイヤストランドは、合計で少なくとも２００本のワイヤストランドを備えている、請求項１０に記載のドライブラインケーブル。
【請求項１２】
各導体の前記複数のワイヤストランドは、銅合金のストランドである、請求項１０に記載のドライブラインケーブル。
【請求項１３】
前記１つ以上の導体は、前記ケーブルの中実コアの周りに巻かれた６本の絶縁された導体を備え、各導体は、２８８本の絶縁されていない銅ストランドを備えている、請求項１２に記載のドライブラインケーブル。
【請求項１４】
埋め込み可能心臓ポンプとの使用のための電力ケーブルを組み立てる方法であって、前記方法は、
複数の絶縁されていないワイヤストランドを巻き付け、複数の房を形成することであって、各房の前記ワイヤストランドは、それぞれの束の縦軸に沿って第１のパターンで巻き付けられ、前記ケーブルが屈曲させられた場合、各房内の前記ワイヤストランドの大部分が前記束の他のワイヤストランドに対して移動可能であるように、ゆるく詰められている、ことと、
前記複数の房を巻き付け、複数の束を形成することであって、各束は、それぞれの束の縦軸に沿って第２のパターンで巻き付けられたワイヤストランドの複数の房を備えている、ことと、
前記複数の束を巻き付け、複数の導体を形成することであって、前記複数の導体の各導体は、それぞれの導体の縦軸に沿って第３のパターンで巻き付けられたワイヤストランドの複数の束を備えている、ことと、
前記電力ケーブルの縦軸に沿って第４のパターンで前記複数の導体を一緒に巻き付けることと、
前記巻き付けられた複数の導体を外側絶縁層で覆うことと
を含む、方法。
【請求項１５】
前記複数の導体を前記第４のパターンで一緒に巻き付ける前に、前記複数の導体の各々を外側絶縁層で覆うことをさらに含む、請求項１４に記載の方法。
【請求項１６】
前記第１、第２、および第３の巻き付けパターンは、リッツワイヤ構成に対応する、請求項１４に記載の方法。
【請求項１７】
前記複数の導体は、前記ケーブルの中心コアの周囲に巻かれた少なくとも６本の導体を備えている、請求項１４に記載の方法。
【請求項１８】
前記導体を巻き付けることは、前記ケーブルの縦軸に沿って０．７５インチ以下のピッチで前記導体を一緒に巻くことを含む、請求項１７に記載の方法。
【請求項１９】
各導体は、銅合金の少なくとも２００本のワイヤストランドを備えている、請求項１７に記載の方法。
【請求項２０】
前記巻き付けられた導体をＰＴＦＥの層で覆うことをさらに含む、請求項１７に記載の方法。
【請求項２１】
前記ＰＴＦＥ層を熱可塑性ポリカーボネートポリウレタン、アラミドアーマー層、およびシリコーン外被で覆うことをさらに含む、請求項２０に記載の方法。
【請求項２２】
埋め込み可能心臓ポンプとの使用のためのデバイスに給電する方法であって、前記方法は、
電力ケーブルを前記埋め込み可能心臓ポンプに電気的に接続することであって、前記電力ケーブルは、複数の導体であって、各導体は、複数のゆるく詰められた絶縁されていないワイヤストランドを備えている、導体と、前記複数の導体を覆う外側外被とを備えている、ことと、
前記電力ケーブルを通して伝送される低周波数交流電流または直流電流を使用して、前記埋め込み可能心臓ポンプに給電することと
を含む、方法。
【請求項２３】
各導体の前記複数のワイヤストランドは、３０ゲージ以上の少なくとも６０本のワイヤストランドを備えている、請求項２２に記載の方法。
【請求項２４】
各導体は、それぞれの導体の縦軸の周りに巻き付けられているゆるく詰められた絶縁されていないワイヤストランドの複数の束を備え、前記複数の導体は、前記ケーブルの縦軸の周りに巻き付けられている、請求項２２に記載の方法。
【請求項２５】
前記複数のストランド、前記複数の束、および前記複数のケーブルは、リッツワイヤ構成のそれらに対応するパターンで巻き付けられている、請求項２４に記載の方法。
【請求項２６】
前記低周波数交流電流は、約２０ｋＨｚ未満である、請求項２２に記載の方法。
【請求項２７】
電気的に接続することは、前記電力ケーブルを前記埋め込み可能心臓ポンプと埋め込み可能コントローラとの間に埋め込むことを含む、請求項２２に記載の方法。
【請求項２８】
前記埋め込み可能心臓ポンプを前記ケーブルで給電することは、電気伝送が前記複数のワイヤストランドのうちの任意の破損ワイヤストランドを通して維持されるように、前記複数のワイヤストランドのうちの隣接する絶縁されていないワイヤストランド間で電流を伝えることを含む、請求項２２に記載の方法。
【発明の詳細な説明】
【技術分野】
【０００１】
（関連出願の引用）
本願は、米国仮出願第６２／０４５，３６５号（２０１４年９月３日出願）の非仮出願であり、その利益を主張し、上記出願の全内容は、参照により本明細書に引用される。
【０００２】
本願は、概して、電力ケーブルに関し、特に、例えば、埋め込み可能な機械的循環支援システムに給電するためのドライブラインケーブルのために使用され得る、低周波数ＡＣおよびＤＣ用途のための電力ケーブルに関する。
【背景技術】
【０００３】
ＶＡＤとして知られる補助人工心臓は、患者の心臓が、例えば、心不全に起因して、適正な循環を提供できない場合、短期（すなわち、数時間、数日、数ヶ月）および長期用途（すなわち、数年または一生）の両方のために使用される埋め込み可能血液ポンプである。米国心臓協会によると、５００万人を超える米国人が、心不全を患っており、約６７０，０００件の新しい症例が、毎年診断されている。心不全を患う人々は、多くの場合、息切れおよび疲労を有する。動脈閉塞または高血圧を患う年数は、心臓を弱くし、身体に十分な血液を送出可能でないままにし得る。症状が悪化するほど、心不全も進行する。
【０００４】
鬱血性心不全とも呼ばれる心不全に悩まされている患者は、心臓移植を待つ間、または長期最終治療として、ＶＡＤを使用し得る。別の例では、患者は、心臓外科種手術から回復する間、ＶＡＤを使用し得る。したがって、ＶＡＤは、弱った心臓を補完することができ（すなわち、部分的支援）、事実上自然な心臓の機能に取って代わることもできる。ＶＡＤは、患者の身体内に埋め込まれ、ドライブラインケーブルを通して、患者の身体の内側または外側の電源によって給電されることができる。ドライブラインケーブルは、データ通信および制御機能のためにも構成されることができる。
【０００５】
埋め込まれたＶＡＤの電力の喪失または関連付けられた電力供給源の再充電失敗は、生命を脅かす結果をもたらすので、ＶＡＤの持続的動作を確実にするために、ドライブラインケーブルは、信頼できる電気接続を提供しなければならない。ドライブラインケーブルは、システムの埋め込み後、その寿命にわたって、移動または屈曲にさらされるので、そのようなドライブラインケーブルは、電気接続の完全性を維持しながら、多数の使用サイクルに耐えることができる場合、望ましい。そのような特徴を提供するために、ドライブラインケーブルは、多くの場合、延伸充填管ワイヤおよび異種金属複合材等の高コスト材料を利用し、埋め込まれる場合、組織を通してより大きなトンネルを要求する形状因子、および／または、経皮的に留置される場合、より大きな切開を要求する形状因子（例えば、相当の大きさの直径または形状）を有し得る。電力ケーブルの電気的および機械的完全性を維持しながら、低製造コストかつ減少した寸法（例えば、直径または形状）において改善された耐久性を有するドライブラインケーブルを提供することが望ましいであろう。
【発明の概要】
【課題を解決するための手段】
【０００６】
本発明は、概して、電力ケーブルに関し、一実施形態では、ＶＡＤ等の機械的循環支援システムに給電するためのドライブラインケーブルに関する。そのようなケーブルは、種々の異なるタイプの機械的循環支援システムにおいて使用され得、身体内に全体的に埋め込まれたドライブライン、皮膚の切開を通して身体の外側に延びる経皮的ドライブラインケーブル、または外部モジュール式ドライブラインのために適切であり得る。ある側面では、本発明は、直流電流（ＤＣ）または低周波数交流電流（ＡＣ）用途において、埋め込み可能またはその他の任意の電気デバイスに給電するために好適な電力ケーブルを可能にする。
【０００７】
一側面では、本発明の側面によるケーブルは、複数の導体を含み、各導体は、外側絶縁層内に配置される複数のゆるく詰められた絶縁されていないワイヤストランドを備え、複数の導体は、ケーブルの縦軸に沿って巻き付けられ、外側外被が、巻き付けられた複数の導体の周りに配置される。各導体の複数のワイヤストランドは、銅合金等の任意の好適な伝導性材料から形成され得、ワイヤストランドは、それぞれの導体の軸に沿って巻き付けられる。典型的には、「ゆるく詰められた」ストランド構成は、ワイヤストランドが、互いに対して高移動度を有するが、ストランド間に最小限の空間が存在する、配列である。これは、ストランドの詰め込み率を最大限にし、すなわち、最大数のストランドが、所与の導体直径の中に置かれることができる。ゆるく詰められたストランドは、導体またはケーブルが操作されるとき、互いに対して移動する。ストランド間の限定された空間は、巻き付けられたケーブルが、操作中、その断面形状を維持するであろうことを意味する。ワイヤストランドは、リッツワイヤ構成に略類似するが、種々の側面において区別可能な構成で組み立てられ得る。これらの区別可能側面として、ワイヤストランドが絶縁されていないことが挙げられる。いくつかの実施形態では、ケーブルは、ケーブルの長さに沿って延びる中心コア強度部材の周りに巻き付けられる６本以上の導体を含み得る。ある実施形態では、各導体は、少なくとも３０ゲージ以上の６０本のワイヤストランド、例えば、ゲージ４０以上、２００本以上のワイヤストランド、好ましくは、５０ゲージワイヤの２８８本のストランドを含む。
【０００８】
一側面では、ケーブルは、ゆるく詰められ、ワイヤストランドが３つの固有の軸に沿って巻き付けられる３つの連続的な巻き付け動作によって形成される三重螺旋構成に組み立てられる複数の絶縁されていないワイヤストランドから形成される導体を含む。例えば、ワイヤストランドは、第１の巻き付けパターンで巻き付けられ、複数の絶縁されていない房を形成し、それは、第２の巻き付けパターンで巻き付けられ、房の束を形成し、その後、複数の束は、第３の巻き付けパターンで巻き付けられ、導体を形成し得る。複数の絶縁された導体は、次いで、第４のパターンで巻き付けられ、ケーブルを形成する。導体は、ポリマー部材等の中心コアの周囲に巻き付けられ、追加の強度をケーブルに提供し得る。第４の巻き付けパターンは、ばね様効果を提供し、さらに、応力を低減させ、ケーブルの耐久性を改善するように、０．６インチピッチ等、ケーブルの縦軸に沿って０．７５インチピッチ以下で導体を巻き付けることを含み得る。
【０００９】
別の側面では、本発明は、埋め込み可能補助人工心臓のためのドライブラインケーブル等の電力ケーブルを組み立てる方法を提供する。そのような方法は、複数の絶縁されていないワイヤストランドを巻き付け、複数の房を形成することであって、各房は、それぞれの房の縦軸に沿って第１のパターンで巻き付けられているゆるく詰められた絶縁されていないワイヤストランドを備えている、ことと、複数の房を巻き付け、複数の束を形成することであって、各束は、それぞれの束の縦軸に沿って第２のパターンで巻き付けられる複数の房を備えている、ことと、複数の束を第３のパターンで巻き付け、複数の導体を形成することと、複数の導体の各々を絶縁層で覆うことと、ケーブルの縦軸に沿って第４のパターンで導体を一緒に巻き付けることと、巻き付けられた導体を外側外被で覆うこととを含み得る。第１、第２、および第３の巻き付けパターンは、リッツワイヤ構成において使用されるそれらに略類似するパターンに対応し、とりわけ、絶縁されていないワイヤストランドを使用し得る。ある実施形態では、絶縁されていないワイヤストランドは、導体が、５０ゲージワイヤの銅合金の２８８本のストランド等の２００本以上のワイヤストランドを含むように、３０ゲージ以上、各束は、６０本以上のワイヤストランドを含む。
【００１０】
別の側面では、本発明は、本発明の側面に従って組み立てられるケーブルを使用して、デバイスに給電する方法を提供する。そのような方法は、電力ケーブルをデバイスに電気的に接続することであって、電力ケーブルは、複数の導体であって、各々は、複数のゆるく詰められた絶縁されていないワイヤストランドを備えている、導体と、電力ケーブルを覆う外側外被とを備えている、ことと、電力ケーブルを通して伝送される約２０ｋＨｚ以下等の低周波数ＡＣまたはＤＣを使用して、デバイスに給電することとを含み得る。そのような方法は、本明細書に説明される構成のいずれかに従って巻き付けられるそのようなストランドを含むゆるく詰められた複数の絶縁されていないワイヤストランドを有するケーブル等、本明細書に説明される本発明の任意の側面に従って形成されるケーブルの使用を含む。
【図面の簡単な説明】
【００１１】
【図１Ａ】図１Ａは、本発明の側面による、関連付けられたドライブラインを伴う、患者の身体内に完全に埋め込まれた機械的循環支援システムの例証である。
【図１Ｂ】図１Ｂは、本発明の側面による、モジュール式ドライブラインを伴う、患者の身体内に埋め込まれた機械的循環支援システムの例証である。
【図１Ｃ】図１Ｃは、本発明の側面による、モジュール式ドライブラインを伴う、代替埋め込み式機械的循環支援システムの例証である。
【図２】図２は、本発明の側面による、例示的ドライブラインケーブルの例証である。
【図３】図３は、本発明の側面による、ドライブラインケーブルにおいて使用するための導体の断面である。
【図４】図４は、本発明の側面による、ドライブラインケーブルの製作に適用可能な種々のタイプの巻き付けパターンを図示する。
【図５Ａ】図５Ａは、従来のドライブラインケーブルにおける導体の断面である。
【図５Ｂ】図５Ｂ−５Ｃは、従来のリッツワイヤ構成における導体を図示する。
【図５Ｃ】図５Ｂ−５Ｃは、従来のリッツワイヤ構成における導体を図示する。
【図６】図６は、従来のケーブル構成と比較した、本発明の側面によるケーブル構成のサイクル寿命の実験結果を描写する、グラフである。
【発明を実施するための形態】
【００１２】
本発明は、概して、電力ケーブルに関し、一実施形態では、ＶＡＤ等の機械的循環支援システムに給電するためのドライブラインケーブル（ｄｒｉｖｅｌｉｎｅ  ｃａｂｌｅ）に関する。本発明の種々の側面は、２００９年１２月３０日に出願され、「Ｍｏｂｉｌｉｔｙ−Ｅｎｈａｎｃｉｎｇ  Ｂｌｏｏｄ  Ｐｕｍｐ  Ｓｙｓｔｅｍ」と題された米国特許第８，５６２，５０８号、２０１２年６月１４日に公開された「Ｍｏｄｕｌａｒ  Ｄｒｉｖｅｌｉｎｅ」と題された米国出願公開第２０１２／０１４９２２９号、および２０１３年１月２３日に出願され、「Ｄｒｉｖｅｌｉｎｅ  Ｃａｂｌｅ  Ａｓｓｅｍｂｌｙ」と題された米国特許第８，６８２，４３１号（それらの各々の全内容は、あらゆる目的のために、参照することによって本明細書に組み込まれる）に説明されるものに類似する。
【００１３】
図１Ａは、ＶＡＤとして示される埋め込み可能医療デバイス１０２と、無線電力を身体の外側から受信し、電力を医療デバイスに提供するように構成される埋め込み式モジュール１０４とを含む医療システム１００を図示する。バルクヘッドコネクタ１０６およびドライブラインケーブル２７は、埋め込み式モジュールを医療デバイスに接続し、電力、データ、および／または制御信号をモジュールからデバイスに提供する。そのような医療デバイスは、比較的に高性能デバイスであり得る。一側面では、埋め込み式モジュールは、最短で２年間、患者の身体の内側に留まり、医療デバイスのための電源およびコントローラとしての役割を果たすように構成される。モジュールは、約１６ＶＡＣを供給し、医療デバイスを駆動することができ、必要に応じて、１０Ｖ程度の低いまたは２４Ｖ程度の高い電圧を提供するために使用され得る。臨床医は、医療デバイスを除去せずに、既存のドライブラインケーブルを既存のモジュールから切断し、既存のモジュールを除去し、同じドライブラインケーブルを新しいモジュールに再接続することによって、埋め込み式モジュールを外科的に交換することができる。同様に、臨床医は、埋め込み式モジュールを定位置に残したまま、ケーブルおよび／または医療デバイスを外科的に交換することができる。
【００１４】
図１Ｂは、内部血液ポンプアセンブリ１１０と、電気導管１２３を介して血液ポンプアセンブリに接続される内部コントローラアセンブリ１２０と、コントローラアセンブリ１２０内に含まれる内部再充電可能電力貯蔵デバイスと、コントローラアセンブリ１２０に接続され、開口ポート４２０において身体から出て行く経皮的導線４００とを含む、モジュール式埋め込み式補助人工心臓を図示する。電力貯蔵デバイスは、容易に再充電可能である１つ以上の「スマート」リチウム化学バッテリを含み得る。ドライブラインケーブル２７の遠位端は、コントローラアセンブリ１２０の内部電力貯蔵デバイスの周期的充電のために、外部電源への接続のためのコネクタ４１０を含む。経皮的導線は、ドライブラインケーブルが、必要に応じて、除去および交換され得るように、コネクタ４３０においてドライブラインケーブル２７に接続し得る。
【００１５】
血液ポンプ１１０は、部分的または完全に、欠陥心臓の機能に取って代わるために使用される機械的循環デバイスであるＶＡＤであることができる。いくつかのＶＡＤは、典型的には、心臓発作または心臓外科手術から回復する患者のために、短期使用のために意図される一方、他のＶＡＤは、典型的には、鬱血性心不全に悩まされている患者のために、長期使用（例えば、数年およびユーザの寿命の残り）のために意図される。ＶＡＤは、右（ＲＶＡＤ）または左（ＬＶＡＤ）心室のいずれか、もしくは両方（ＢｉＶＡＤ）を一度に補助するように設計される。ＶＡＤは、軸流または遠心流構成で設計されることができる。インペラが、ボールおよびカップ等のジャーナル軸受、または磁気もしくは流体力学力、または両方によって指示され得る。他の実施形態では、血液ポンプは、心臓機能を完全に引き受けるように設計され、患者の心臓の除去を必要とし得る、人工心臓であることができる。本明細書に開示される技術的特徴は、本開示に説明される血液ポンプの任意の変形例に等しく適用されることを理解されたい。
【００１６】
図１Ｃは、本発明による、ドライブラインケーブル２７を用いて給電され得る、患者１２の身体内に埋め込まれた例示的埋め込み式機械的循環支援システム１０１’の代替設定である。機械的循環支援システム１０１’は、埋め込み可能血液ポンプ１４と、心室カフ１６と、流出カニューレ１８と、システムコントローラ２０と、電源２２とを備えている。埋め込み可能血液ポンプ１４は、図示されるように、心臓２４の左心室、または右心室、もしくは両心室の心尖に取り付けられるＶＡＤを備え得る。ＶＡＤは、本明細書にさらに詳細に説明されるように、肺循環から左心室まで送達される出力全体（すなわち、最大１０リットル／分）を送出可能である遠心ポンプ（図示されるように）または軸流ポンプを備え得る。本発明に適用可能である関連血液ポンプは、以下および米国特許第５，６９５，４７１号、第６，０７１，０９３号、第６，１１６，８６２号、第６，１８６，６６５号、第６，２３４，７７２号、第６，２６４，６３５号、第６，６８８，８６１号、第７，６９９，５８６号、第７，９７６，２７１号、第７，９９７，８５４号、第８，００７，２５４号、第８，１５２，４９３号、第８，６５２，０２４号、および第８，６６８，４７３号、ならびに米国特許公開第２００７／００７８２９３号、第２００８／００２１３９４号、第２００９／０２０３９５７号、第２０１２／００４６５１４号、第２０１２／００９５２８１号、第２０１３／００９６３６４号、第２０１３／０１７０９７０号、第２０１３／０１２１８２１号、および第２０１３／０２２５９０９号により詳細に説明され、全て、あらゆる目的のために、参照することによってその全体として本明細書に組み込まれる。血液ポンプ１４は、心室カフ１６を介して心臓２４に取り付けられ得、心室カフ１６は、心臓２４に縫合され、血液ポンプ１４に結合される。血液ポンプ１４の他端は、流出カニューレ１８を介して上行大動脈に接続し、ＶＡＤは、血液を弱くなった心室から効果的にそらし、患者の血管系の残りへの循環のために、血液を大動脈に進ませる。
【００１７】
図１Ｃは、バッテリ２２給電動作中の例示的機械的循環支援システム１０１’を図示する。経皮的ケーブル２６は、埋め込まれた血液ポンプ１４をドライブラインケーブル２７を通してシステムコントローラ２０に接続する。経皮的ケーブル２６は、開口２９において患者の腹部から外に出、モジュール式接続部２８においてドライブラインに接続する。システムコントローラ２０は、システム動作を監視する。本発明に適用可能である関連コントローラシステムは、以下および米国特許第５，８８８，２４２号、第６，９９１，５９５号、第８，３２３，１７４号、第８，４４９，４４４号、第８，５０６，４７１号、第８，５９７，３５０号、および第８，６５７，７３３号、ならびに米国特許公開第２００５／００７１００１号および第２０１３／０３１４０４７号により詳細に説明され、全て、あらゆる目的のために、参照することによってその全体として本明細書に組み込まれる。システムは、１つ、２つ、またはそれより多いバッテリ２２によって給電され得る。システムコントローラ２０および電源２２は、患者身体の外側／外部に図示されるが、ドライブラインケーブル２７、システムコントローラ２０、および／または電源２２は、別個の構成要素として、または血液ポンプ１４と統合されて、部分的または完全に、患者内に埋め込み可能であり得ることを理解されたい。そのような修正の実施例はさらに、米国特許第８，５６２，５０８号および米国特許公開第２０１３／０１２７２５３号に説明されており、全て、あらゆる目的のために、参照することによってその全体として本明細書に組み込まれる。
【００１８】
前述され、図１Ａ−１Ｃに示されるもの等の埋め込み可能医療ポンプは、心臓の左心室および／または右心室によって行われる送出の機械的補助もしくは増強を提供するために使用される。そのような用途において要求される送出体積および一定動作に起因して、そのようなポンプは、典型的には、かなりの電力要件を有し、多くの場合、遠隔に位置する電源、通常、図１Ｃに示されるように、身体の外側に装着される外部電源を必要とする。そのようなポンプシステムは、典型的には、完全もしくは部分的に埋め込まれ得るか、または全体的に患者の外側にあり得る、ドライブラインケーブル２７を通して給電される。ドライブラインは、頻繁な移動および屈曲にさらされるので、ドライブラインケーブルは、故障なく、多数の使用サイクルに耐えることが可能でなければならない。故障は、典型的には、ケーブルの屈曲の間にワイヤストランドにかかる繰り返される応力による導体の破損に起因する、損なわれた電気接続を含む。さらに、本発明の側面によるケーブルは、埋め込み可能心臓ポンプ以外の種々の他の用途において使用され得ることを理解されたい。例えば、ドライブラインケーブルは、種々のＤＣまたは低周波数ＡＣ用途において、電源から任意の数のデバイスに電力を伝送するために使用され、本明細書に説明される利点を提供し得る。
【００１９】
本発明は、従来の設計と比較して、低材料および生産コスト、改善された電気的完全性、および／または減少した径において、改善された耐久性を有する構成を提供する。一側面では、構成は、複数の絶縁されていないワイヤストランドの１つ以上の導体をゆるく詰められた束で有するケーブルを伴う。各束内のワイヤストランドのゆるく詰められた性質は、ワイヤストランドが、ケーブルの屈曲の間、他のワイヤストランドに対して移動またはスライドすることを可能にし、それは、そうでなければ、１つ以上のワイヤストランドの破損をもたらすであろう、歪みを低減させながら、ケーブルの可撓性を可能にする。
【００２０】
絶縁されていないワイヤストランドを利用することによって、構成は、ケーブルが本質的に自己回復であるので、改善された完全性をさらに可能にする。例えば、１つ以上のワイヤストランドが破損しても、電流が、依然として、隣接する絶縁されていないワイヤストランドによって伝送され得るので、ケーブルの電気接続は、損なわれない。リッツワイヤから形成される従来のケーブルは、個々のワイヤが絶縁され、表皮効果および近接効果損失を低減させることを要求する。従来のリッツワイヤにおいて使用されるような複数の絶縁されたワイヤストランドを利用するケーブルでは、１つ以上のそのようなワイヤストランドの破損は、電気接続の完全性を損なわせる。なぜなら、絶縁が、電流が破損ワイヤストランドを通って進行することを妨害し、そのようなケーブルの寿命をさらに制限するからである。従来のＶＡＤドライブラインケーブルは、絶縁されていないワイヤストランドを有する導体を利用し得るが、そのような従来のケーブルは、本明細書に説明されるようなドライブラインケーブルの改善された耐久性および利点を欠いている。
【００２１】
一側面では、本発明によるケーブル構成は、複数の導体を含み、各導体は、一緒に巻き付けられる絶縁されたワイヤストランドの複数の絶縁されていない房を含む。ワイヤストランドは、アルミニウム、銅、または銅−カドミウム等の任意の好適な合金等、任意の好適な伝導性材料であり得る。いくつかの実施形態では、個々の導体は、絶縁され、ポリマー系強度部材等の中心コア材料の周りに巻き付けられ、追加の強度をケーブルに提供する。導体は、絶縁コーティングで覆われ得る。アセンブリ全体が、遮蔽体および／またはポリマー系ラップで覆われ得る。追加の層が、電気遮蔽もしくは保護または強度をケーブルに提供するために使用され得、そのような層は、それぞれ、好適な金属遮蔽体またはポリマーの覆いを含み得る。
【００２２】
図２に示される例示的実施形態では、ドライブラインケーブル２７は、絶縁された導体２が巻き付けられる中心コア１を含み、各導体は、ゆるく詰められた絶縁されていないワイヤストランドを備えている。例示的実施形態では、ケーブルは、ＶＡＤに３相モータを用いて給電するように構成される。例示的ケーブルは、冗長ワイヤの組を含み、故に、合計６本の絶縁された導体２を含む。絶縁された導体は、銅合金または他の好適な材料から形成され得る。中心コア１は、ポリエチレン強度部材であり得、導体２は、１．００インチピッチ以下、好ましくは、０．７５ピッチ以下、例えば、０．６インチピッチで巻き付けられ得る。有利には、導体の構成は、より小さく、より緊密なピッチにおける、より緊密な巻きを可能にし、ばね様効果をもたらし、それは、歪み力を大幅に低減し、耐久性をさらに改善する。巻き付けられた導体２は、ポリテトラフルオロエチレン（ＰＴＦＥ）層３、その後に、ＰＣＵ（熱可塑性ポリカーボネートウレタン）層である、Ｂｉｏｎａｔｅ（登録商標）等の湿気進入抵抗特性を伴うポリマー層４、その後に、アラミドアーマー層５、その後に、外側シリコーン外被６によって包囲され得る。導体の各々は、ゆるく詰められた絶縁されていないワイヤストランド、典型的には、一緒に巻き付けられているゆるく詰められた絶縁されていないワイヤストランドの絶縁されていない房から成る。図２に示される例示的実施形態では、６本の絶縁された導体の各々は、巻かれていない束において、巻き付けられる２８８本の絶縁されていない銅合金ストランドを含む。図３に示されるように、ワイヤストランド間の結果として生じる空隙は、従来のＶＡＤケーブル設計と比較して、大幅に低減させられる。
【００２３】
一側面では、例示的ケーブルは、３つの連続的なケーブル配線／ねじり動作によって画定される三重螺旋構成で巻き付けられる絶縁されていないワイヤストランドを備えている。そのような束の巻き付けは、高ストランド数導体の生産を可能にする。３０ゲージ以上のワイヤストランドの巻き付けは、約６０本を上回るワイヤストランドが一度に巻き付けられる場合、問題となることが見出されている。したがって、高ストランド導体を可能にするために、本明細書に説明される構成および方法は、一緒に巻き付けられる、３０ゲージ以上の６０本未満ワイヤストランドの複数の房を利用する。いくつかの実施形態では、個々の絶縁されていないワイヤストランドは、第１のパターンで一緒に巻き付けられ、ワイヤストランドの絶縁されていない房を形成し、結果として生じる房は、第２のパターンで一緒に巻き付けられ、複数の束を形成し、それらは、第３のパターンで一緒に巻き付けられ、個々の導体を形成する。個々の導体は、絶縁性コーティングで包まれ、次いで、第４のパターンで巻かれ、最終ケーブル構成を形成し得る。第１、第２、および第３のパターンの各々は、それぞれの縦軸に沿って実質的に均一であるねじりから成り得る。これらの構成およびケーブル配線動作は、リッツワイヤのために使用されるものに略類似する巻き付けパターンを利用し得る（それらは、本ケーブルとは全く対照的に、絶縁されたワイヤストランドを利用する。例えば、図５Ｂ参照）。第１、第２、および第３のパターンのために使用され得る種々の巻き付けパターンの実施例は、図４に示される。いくつかの側面では、これらの巻き付けパターンは、幾分、リッツワイヤのために使用されるねじりパターンまたは配列に類似し得るが、ケーブルは、どんな特定のリッツワイヤ構成にも限定されず、本明細書に説明される実施形態は、パターンまたは配列において、どんな特定の公知のリッツワイヤ構成にも対応しないことを理解されたい。
【００２４】
図３は、ゆるく詰められ、個々のワイヤストランドの大部分が、ケーブルが屈曲させられた場合、房の他のワイヤストランドに対して自由に移動することを意味する、絶縁されていないワイヤストランド７の複数の房を含むように、前述の実施形態に従って形成される導体２の断面を図示する。ゆるく詰められた絶縁されていないワイヤストランドを提供することによって、隣接するワイヤストランド間の摩擦は、低減させられ、ワイヤストランドは、より大きな移動の自由が可能にされ、ねじり中、束間の空隙は、実質的に低減させられる（図３に示されるように、個々の束は、束間の空隙が著しく排除されるので、もはや見てもわからない）。図３は、３×３×３２／５０設計を有する導体を図示し、それは、５０ゲージワイヤストランドの３つの束であり、各束は、一緒に巻き付けられる３つの房を備え、各房は、３２本のワイヤストランドを有し、その結果、導体は、２８８本の合計ワイヤストランドを含む。導体内の各ワイヤストランドの移動の自由が大きいほど、屈曲中のワイヤストランド内の歪みを低減させ、さらに、減少した導体直径を可能にする。当業者によって理解されるであろうように、ケーブル内の空隙のほんの小さな減少は、既存のケーブルと同じ直径でより小さいピッチの巻き付けを可能にする。前述の構成は、ケーブル内の導体のより小さいピッチの巻きも可能にし、これは、曲がり中の導体の歪みをさらに低減させる。組み合わせられた移動の自由とより小さいピッチの巻きとは、従来の導体を用いたドライブラインより実質的に改善された耐久性を実証している。
【００２５】
図５Ａは、従来の高ストランド導体３０２の断面を図示し、それは、比較的に緊密に詰められた絶縁されていないワイヤストランド３０７の複数の束３０８を含み、それによって、ワイヤストランド間の摩擦の増加が束間の空隙３０９の存在をもたらす。図５Ａは、７×４１／５０設計を有する導体を図示し、それは、導体内の合計２８７本のワイヤストランドに対して、一緒に巻かれた７つの房であり、各房は、５０ゲージワイヤの４１本のストランドを有する。空隙の増加は、図３に示されるもの等の本発明による導体を有するケーブルと比較して、屈曲させられた場合、ケーブルの直径およびワイヤストランド内の応力を増加させる。
【００２６】
上で詳述されるように、本発明によるケーブル構成は、種々の巻き付けパターンに従って巻き付けられるかまたは編組され得るゆるく詰められた絶縁されていないワイヤストランドの房を有する導体を含む。一側面では、ワイヤストランドは、３つの固有の巻き付けパターンに従って巻き付けられ、三重螺旋構成を形成する。これらの巻き付けパターンは、電力ケーブルの生産において使用される巻き付けパターンまたはねじりパターン、特に、リッツワイヤ生産において使用されるものに対応し得る。
【００２７】
リッツワイヤ導体は、特に、高周波数ＡＣ用途のために、ＡＣを運ぶために構成される。ワイヤは、周波数最大約１ＭＨｚで使用される導体に生じる表皮効果および近接効果損失を低減させるように設計される。典型的リッツワイヤ導体２００は、図５Ｂに示されるもの等の個々に絶縁２０８された多数の薄型ワイヤストランド２０７から成る。（画像は、ｈｔｔｐ：／／ｅｎ．ｗｉｋｉｐｅｄｉａ．ｏｒｇ／ｗｉｋｉ／Ｌｉｔｚ＿ｗｉｒｅにおいてオンライン上でも見られる）。個々に絶縁されたワイヤは、図４に示されるように、種々の慎重に規定されたパターンのうちの１つに従って、織り合わされる。（ｈｔｔｐ：／／ｗｗｗ．ｌｉｔｚｗｉｒｅ．ｃｏｍ／ｌｉｔｚ＿ｔｙｐｅｓ．ｈｔｍにおけるオンライン画像も参照）。そのようなパターン／構成は、典型的には、各ワイヤストランドが導体の外側のほうに配置される全体長さの割合を等化する巻き付けパターンを生成するように、いくつかのレベルまたはステップを伴う。リッツワイヤ式構成に関連付けられた複数の巻き付けパターンの実施例は、５×３×２８／４４設計を有する絶縁された導体３００を描写する図５Ｃに示される。この設計は、４ゲージワイヤの５つの束（各々、８４本のストランド）３０４を巻き付けることによって形成され、各束は、ワイヤストランドの３つの房（各々、２８本のストランド）３０２を一緒に巻くことによって形成され、絶縁性コーティング内に包まれた４４ゲージワイヤの合計４２０本のストランドを有する導体３０６を形成し、絶縁された導体３００を形成する。この設計は、全体的空隙が低減させられるように、ゆるく詰められたストランドを含む。全体的空隙は、低減させられるが、時として、小空隙が、依然として形成され得、例えば、小星形空隙３０９が、左に示される導体の中心部分に形成されている。
【００２８】
ＡＣに対して、表皮効果は、周波数の増加に伴って抵抗が増加することをもたらす。しかしながら、低周波数に対して、効果は、無視可能であり、そのような用途のためにリッツワイヤを利用する明白な理由がないであろう。表皮深さが導体のサイズと比較して小さいような十分に高い周波数におけるＡＣに対して、表皮効果は、電流の多くが導体の表面またはその近傍で流れることをもたらす。十分に高い周波数では、大きい導体の中心部分は、あまり電流を伝えない。丸く、数表皮深さより大きい直径の導体は、中心軸の近傍であまり電流を伝えないので、より大きい導体が必要とされる場合、リッツワイヤが、表皮効果を低減させるために使用され得る。個々に絶縁された束状の導体であるより線を採用することによって、本発明のケーブルの各薄型の導体は、各個々のワイヤストランドに対する感知可能な表皮効果損失がないような表皮深さ未満である。
【００２９】
本効果を提供するために、各個々のストランドは、互いから絶縁されなければならない。そうでなければ、束内の全ワイヤは、一緒に短絡し、単一のより大きいワイヤのように挙動し、感知可能な表皮効果問題が生じるであろう。個々に絶縁されたワイヤストランドの織りおよびねじりは、ストランドが、束内の同一半径方向位置を占有することを防止する。なぜなら、表皮効果を生じさせる電磁効果が、依然として、伝導を妨害すると考えられるからである。図４に示されるもの等のワイヤの織りおよびねじりパターンは、個々のストランドが、電磁場変化がより小さく、ストランドがより低い抵抗を被る距離に対して束の外側にあり、電磁場変化がより強く、抵抗がより高い距離に対して、束の内側にあるように設計される。各ワイヤストランドが同等インピーダンスを有する場合、電流は、ケーブル内の全ストランド間に等しく分布され、それは、リッツワイヤの内部が、ケーブルの伝導性に寄与することを可能にする。これらの理由から、リッツワイヤは、表皮効果が深刻な問題を呈する、高周波数ＡＣ用途で使用される。リッツワイヤは、ある種類のストランド状ワイヤであるが、その特定の設計構成および使用は、材料故障に起因するワイヤ破損を回避するものではなく、むしろ、前述の表皮効果および近接効果に起因する損失を防止するものである。リッツワイヤ構成およびその関連付けられた用途に関する追加の詳細は、以下の参考文献に見出され得る：Ｔｅｒｍａｎ，Ｆｒｅｄｅｒｉｃｋ  Ｅ．，Ｒａｄｉｏ  Ｅｎｇｉｎｅｅｒｓ'  Ｈａｎｄｂｏｏｋ，ＭｃＧｒａｗ−Ｈｉｌｌ，（１９４３）；Ｌｉｔｚ  Ｗｉｒｅ  Ｔｙｐｅｓ  ＆  Ｃｏｎｓｔｒｕｃｔｉｏｎ，Ｎｅｗ  Ｅｎｇｌａｎｄ  Ｗｉｒｅ  Ｔｅｃｈｎｏｌｏｇｉｅｓ，２００５；Ｂｕｔｔｅｒｗｏｒｔｈ，Ｓ．，"Ｅｆｆｅｃｔｉｖｅ  Ｒｅｓｉｓｔａｎｃｅ  ｏｆ  Ｉｎｄｕｃｔａｎｃｅ  Ｃｏｉｌｓ  ａｔ  Ｒａｄｉｏ  Ｆｒｅｑｕｅｎｃｙ"，Ｗｉｒｅｌｅｓｓ  ａｎｄ  Ｗｉｒｅｌｅｓｓ  Ｅｎｇ．  ３：Ａｕｇｕｓｔ  １９２６；およびＳｕｌｌｉｖａｎ，Ｃｈａｒｌｅｓ  Ｒ．，"Ｏｐｔｉｍａｌ  Ｃｈｏｉｃｅ  ｆｏｒ  Ｎｕｍｂｅｒ  ｏｆ  Ｓｔｒａｎｄｓ  ｉｎ  ａ  Ｌｉｔｚ−Ｗｉｒｅ  Ｔｒａｎｓｆｏｒｍｅｒ  Ｗｉｎｄｉｎｇ"，ＩＥＥＥ  Ｔｒａｎｓａｃｔｉｏｎｓ  ｏｎ  Ｐｏｗｅｒ  Ｅｌｅｃｔｒｏｎｉｃｓ  １４（２）：（Ｍａｒｃｈ  １９９９）（その全内容は、あらゆる目的のために、本明細書に組み込まれる）。
【００３０】
リッツワイヤ導体とは対照的に、本発明の側面によるケーブルは、絶縁されていないワイヤストランドを利用するが、ケーブルは、リッツワイヤ式構成で配列または巻き付けられ得る。リッツワイヤ式構成は、リッツワイヤ製作において利用される構成（例えば、ねじりパターン、配列）に略類似し得るが、しかしながら、ケーブルは、どんな特定のリッツワイヤ構成にも限定されず、本明細書に説明される実施形態は、パターンまたは配列において、どんな特定の公知のリッツワイヤ構成にも対応するものではないことを理解されたい。本発明の側面によるそのようなケーブルは、従来のリッツワイヤが好適である、高周波数ＡＣ用途とは対照的に、直流電流または低周波数ＡＣ用途において使用され得る。リッツワイヤ式導体は、低周波数ＡＣ用途またはＤＣ用途、ましてや、埋め込み可能ポンプシステムのためのドライブラインケーブル用途で使用されることは考えられない。絶縁されていないワイヤストランドをリッツ式構成において提供することは、結果として生じるケーブルが、表皮効果および近接効果損失を低減することに関するリッツワイヤに関連付けられた利点を欠くことになるであろうため、反直感的である。ゆるく詰められた絶縁されていないワイヤストランドが利用されるこの構成は、本明細書に説明されるように、従来のドライブライン構成と比較して、低材料および製造コストならびに電気接続の改善された完全性における、著しく改善された耐久性等、種々の他の利点を可能にする。
【００３１】
図６は、本発明の側面によるドライブラインである、ケーブル構成Ｂ（図２に示される）、比較対象である従来のドライブラインケーブルＡおよびケーブルＣ（Ｆｏｒｔ  Ｗａｙｎｅ  Ｍｅｔａｌｓ  Ｒｅｓｅａｒｃｈ  Ｐｒｏｄｕｃｔｓ  Ｃｏｒｐ．（Ｆｏｒｔ  Ｗａｙｎｅ，ＩＮ）によって販売されているＤＦＴ（登録商標）延伸充填管等の延伸充填管タイプケーブルが、ここでは使用される）の耐久性を実証する、実験結果を図示する。ケーブル構成の各々の詳細は、以下の表１に示される。図６におけるグラフから分かるように、０．１インチの曲げ半径では、ケーブル構成Ｂは、従来のドライブラインケーブルＡ（故障まで４，２７４サイクル）の約３５倍を上回り、故障までに１４９，１７７サイクルのサイクル寿命を示す。０．２インチの曲げ半径では、ケーブル構成Ｂのサイクル寿命は、ケーブル構成Ａ（故障まで２４，４７８サイクル）を約４９倍上回り、故障までに１，２１２，７２４サイクルとさらに上回る。延伸充填管（ＤＦＴ）の導体を使用するケーブル構成Ｃは、０．１インチ曲げ半径においてケーブル構成Ｂを上回る耐久性を示す（０．２インチおよび０．３インチにおいても同様であり得る）が、延伸充填の材料および生産コストは、ケーブル構成Ｂのコストを大幅に上回る。現在、ＤＦＴのコストは、Ｃｄ−ＣｕまたはＣｕ合金を数桁上回る。（注記：これらの試験は、試験持続時間が７０〜７００日に及ぶと推定されるので、実施されなかった。サイクル試験機は、最大速度７２，０００サイクル／日を有する）。構成ＡおよびＢは、類似材料を使用するため、材料および生産コストは、類似規模であり、したがって、ケーブル構成Ｂの設計構成によって提供される耐久性の改善は、実質的により低いコストで改善された耐久性を可能にすることを表す。
【００３２】
【表１】
2017535304.tif 000003
【００３３】
本発明は、ＶＡＤのためのドライブラインの観点から説明されるが、本発明は、他の設計にも等しく適用され得ることを理解されるであろう。例えば、本発明は、電子機器、モータ、バッテリ、アンテナ、およびその他にも適用され得る。
【００３４】
前述の明細書では、本発明は、その具体的実施形態を参照して説明されるが、当業者は、本発明がそれらに限定されないことを認識するであろう。前述の発明の種々の特徴および側面は、個々に、または併せて、使用されることができる。さらに、本発明は、明細書のより広範な精神および範囲から逸脱することなく、本明細書に説明されるもの以外にも、任意の数の環境および用途において利用されることができる。明細書および図面は、故に、制限ではなく、例証と見なされるべきである。用語「ｃｏｍｐｒｉｓｉｎｇ（〜を備えている）」、「ｉｎｃｌｕｄｉｎｇ（〜を含む）」、および「ｈａｖｉｎｇ（〜を有する）」は、本明細書で使用されるように、当該技術分野の開放型用語として読み取られることが特に意図されることが認識されるであろう。
【図１Ａ】
2017535304.tif 000004
【図１Ｂ】
2017535304.tif 000005
【図１Ｃ】
2017535304.tif 000006
【図２】
2017535304.tif 000007
【図３】
2017535304.tif 000008
【図４】
2017535304.tif 000009
【図５Ａ】
2017535304.tif 000010
【図５Ｂ】
2017535304.tif 000011
【図５Ｃ】
2017535304.tif 000012
【図６】
2017535304.tif 000013
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
埋め込み可能心臓ポンプのためのドライブラインケーブルであって、前記ドライブラインケーブルは、
前記ケーブルの縦軸に沿って巻き付けられた複数の導体であって、各導体は、外側絶縁層内に配置された複数の絶縁されていないワイヤストランドを備え、各導体内の前記複数の絶縁されていないワイヤストランドは、前記導体が屈曲させられた場合、前記絶縁されていないワイヤストランドの大部分が他のワイヤストランドに対して移動可能であるように、ゆるく詰められており、各導体の前記複数のワイヤストランドは、３０ゲージ以上であり、各導体は、ワイヤストランドの複数の房を備え、各房は、前記複数のワイヤストランドのうちの少なくとも３２本のワイヤストランドを有する、複数の導体と、
前記巻き付けられた複数の導体の周りに配置された外側外被と
を備えている、ドライブラインケーブル。
【請求項２】
各導体の前記複数のストランドは、前記導体の縦軸に沿って第１のパターンで一緒に巻き付けられたワイヤストランドの複数の絶縁されていない束を備えている、請求項１に記載のドライブラインケーブル。
【請求項３】
各束は、それぞれの束の縦軸に沿って第２のパターンで一緒に巻き付けられたワイヤストランドの複数の房を備えている、請求項２に記載のドライブラインケーブル。
【請求項４】
ワイヤストランドの各房は、それぞれの房の縦軸に沿って第３のパターンで一緒に巻き付けられたワイヤストランドの群を備えている、請求項３に記載のドライブラインケーブル。
【請求項５】
前記複数の絶縁された導体は、前記ケーブルの縦軸に沿って第４のパターンで巻き付けられている、請求項４に記載のドライブラインケーブル。
【請求項６】
前記第３のパターンは、前記導体を中心コアの周囲に前記コアの縦軸に沿って０．７５インチ以下のピッチで巻くことを含む、請求項４に記載のドライブラインケーブル。
【請求項７】
前記第１、第２、および第３のパターンは、リッツワイヤ巻き付け構成のそれらに対応する、請求項４に記載のドライブラインケーブル。
【請求項８】
前記リッツワイヤ巻き付け構成は、タイプ５リッツワイヤ構成に対応する、請求項７に記載のドライブラインケーブル。
【請求項９】
各導体の前記複数のワイヤストランドは、３×３×３２構成で巻き付けられている、請求項４に記載のドライブラインケーブル。
【請求項１０】
各導体の前記複数のワイヤストランドは、合計で少なくとも２００本のワイヤストランドを備えている、請求項１に記載のドライブラインケーブル。
【請求項１１】
各導体の前記複数のワイヤストランドは、銅合金のストランドである、請求項１に記載のドライブラインケーブル。
【請求項１２】
前記１つ以上の導体は、前記ケーブルの中実コアの周りに巻かれた６本の絶縁された導体を備え、各導体は、２８８本の絶縁されていない銅ストランドを備えている、請求項１１に記載のドライブラインケーブル。
【請求項１３】
埋め込み可能心臓ポンプとの使用のための電力ケーブルを組み立てる方法であって、前記方法は、
複数の絶縁されていないワイヤストランドを巻き付け、複数の房を形成することであって、各房の前記ワイヤストランドは、それぞれの房の縦軸に沿って第１のパターンで巻き付けられ、前記ケーブルが屈曲させられた場合、各房内の前記ワイヤストランドの大部分が前記房の他のワイヤストランドに対して移動可能であるように、ゆるく詰められている、ことと、
前記複数の房を巻き付け、複数の束を形成することであって、各束は、それぞれの束の縦軸に沿って第２のパターンで巻き付けられたワイヤストランドの複数の房を備えている、ことと、
前記複数の束を巻き付け、複数の導体を形成することであって、前記複数の導体の各導体は、それぞれの導体の縦軸に沿って第３のパターンで巻き付けられたワイヤストランドの複数の束を備えている、ことと、
前記電力ケーブルの縦軸に沿って第４のパターンで前記複数の導体を一緒に巻き付けることと、
前記巻き付けられた複数の導体を外側絶縁層で覆うことと
を含む、方法。
【請求項１４】
前記複数の導体を前記第４のパターンで一緒に巻き付ける前に、前記複数の導体の各々を外側絶縁層で覆うことをさらに含む、請求項１３に記載の方法。
【請求項１５】
前記第１、第２、および第３の巻き付けパターンは、リッツワイヤ構成に対応する、請求項１３に記載の方法。
【請求項１６】
前記複数の導体は、前記ケーブルの中心コアの周囲に巻かれた少なくとも６本の導体を備えている、請求項１３に記載の方法。
【請求項１７】
前記導体を巻き付けることは、前記ケーブルの縦軸に沿って０．７５インチ以下のピッチで前記導体を一緒に巻くことを含む、請求項１６に記載の方法。
【請求項１８】
各導体は、銅合金の少なくとも２００本のワイヤストランドを備えている、請求項１６に記載の方法。
【請求項１９】
前記巻き付けられた導体をＰＴＦＥの層で覆うことをさらに含む、請求項１６に記載の方法。
【請求項２０】
前記ＰＴＦＥ層を熱可塑性ポリカーボネートポリウレタン、アラミドアーマー層、およびシリコーン外被で覆うことをさらに含む、請求項１９に記載の方法。
【手続補正２】
【補正対象書類名】明細書
【補正対象項目名】００１０
【補正方法】変更
【補正の内容】
【００１０】
別の側面では、本発明は、本発明の側面に従って組み立てられるケーブルを使用して、デバイスに給電する方法を提供する。そのような方法は、電力ケーブルをデバイスに電気的に接続することであって、電力ケーブルは、複数の導体であって、各々は、複数のゆるく詰められた絶縁されていないワイヤストランドを備えている、導体と、電力ケーブルを覆う外側外被とを備えている、ことと、電力ケーブルを通して伝送される約２０ｋＨｚ以下等の低周波数ＡＣまたはＤＣを使用して、デバイスに給電することとを含み得る。そのような方法は、本明細書に説明される構成のいずれかに従って巻き付けられるそのようなストランドを含むゆるく詰められた複数の絶縁されていないワイヤストランドを有するケーブル等、本明細書に説明される本発明の任意の側面に従って形成されるケーブルの使用を含む。
本発明は、例えば、以下を提供する。
（項目１）
埋め込み可能心臓ポンプのためのドライブラインケーブルであって、前記ドライブラインケーブルは、
前記ケーブルの縦軸に沿って巻き付けられた複数の導体であって、各導体は、外側絶縁層内に配置された複数の絶縁されていないワイヤストランドを備え、各ケーブル内の前記複数の絶縁されていないワイヤストランドは、前記導体が屈曲させられた場合、前記絶縁されていないワイヤストランドの大部分が他のワイヤストランドに対して移動可能であるように、ゆるく詰められている、複数の導体と、
前記巻き付けられた複数の導体の周りに配置された外側外被と
を備えている、ドライブラインケーブル。
（項目２）
各導体の前記複数のストランドは、前記導体の縦軸に沿って第１のパターンで一緒に巻き付けられたワイヤストランドの複数の絶縁されていない束を備えている、項目１に記載のドライブラインケーブル。
（項目３）
各束は、それぞれの束の縦軸に沿って第２のパターンで一緒に巻き付けられたワイヤストランドの複数の房を備えている、項目２に記載のドライブラインケーブル。
（項目４）
ワイヤストランドの各房は、それぞれの房の縦軸に沿って第３のパターンで一緒に巻き付けられたワイヤストランドの群を備えている、項目３に記載のドライブラインケーブル。
（項目５）
前記複数の絶縁された導体は、前記ケーブルの縦軸に沿って第４のパターンで巻き付けられている、項目４に記載のドライブラインケーブル。
（項目６）
前記第３のパターンは、前記導体を中心コアの周囲に前記コアの縦軸に沿って０．７５インチ以下のピッチで巻くことを含む、項目４に記載のドライブラインケーブル。
（項目７）
前記第１、第２、および第３のパターンは、リッツワイヤ巻き付け構成のそれらに対応する、項目４に記載のドライブラインケーブル。
（項目８）
前記リッツワイヤ巻き付け構成は、タイプ５リッツワイヤ構成に対応する、項目４に記載のドライブラインケーブル。
（項目９）
各導体の前記複数のワイヤストランドは、３×３×３２構成で巻き付けられている、項目４に記載のドライブラインケーブル。
（項目１０）
各導体の前記複数のワイヤストランドは、３０ゲージ以上であり、各導体は、ワイヤストランドの複数の房を備え、各房は、前記複数のワイヤストランドのうちの少なくとも３２本のワイヤストランドを有する、項目１に記載のドライブラインケーブル。
（項目１１）
各導体の前記複数のワイヤストランドは、合計で少なくとも２００本のワイヤストランドを備えている、項目１０に記載のドライブラインケーブル。
（項目１２）
各導体の前記複数のワイヤストランドは、銅合金のストランドである、項目１０に記載のドライブラインケーブル。
（項目１３）
前記１つ以上の導体は、前記ケーブルの中実コアの周りに巻かれた６本の絶縁された導体を備え、各導体は、２８８本の絶縁されていない銅ストランドを備えている、項目１２に記載のドライブラインケーブル。
（項目１４）
埋め込み可能心臓ポンプとの使用のための電力ケーブルを組み立てる方法であって、前記方法は、
複数の絶縁されていないワイヤストランドを巻き付け、複数の房を形成することであって、各房の前記ワイヤストランドは、それぞれの束の縦軸に沿って第１のパターンで巻き付けられ、前記ケーブルが屈曲させられた場合、各房内の前記ワイヤストランドの大部分が前記束の他のワイヤストランドに対して移動可能であるように、ゆるく詰められている、ことと、
前記複数の房を巻き付け、複数の束を形成することであって、各束は、それぞれの束の縦軸に沿って第２のパターンで巻き付けられたワイヤストランドの複数の房を備えている、ことと、
前記複数の束を巻き付け、複数の導体を形成することであって、前記複数の導体の各導体は、それぞれの導体の縦軸に沿って第３のパターンで巻き付けられたワイヤストランドの複数の束を備えている、ことと、
前記電力ケーブルの縦軸に沿って第４のパターンで前記複数の導体を一緒に巻き付けることと、
前記巻き付けられた複数の導体を外側絶縁層で覆うことと
を含む、方法。
（項目１５）
前記複数の導体を前記第４のパターンで一緒に巻き付ける前に、前記複数の導体の各々を外側絶縁層で覆うことをさらに含む、項目１４に記載の方法。
（項目１６）
前記第１、第２、および第３の巻き付けパターンは、リッツワイヤ構成に対応する、項目１４に記載の方法。
（項目１７）
前記複数の導体は、前記ケーブルの中心コアの周囲に巻かれた少なくとも６本の導体を備えている、項目１４に記載の方法。
（項目１８）
前記導体を巻き付けることは、前記ケーブルの縦軸に沿って０．７５インチ以下のピッチで前記導体を一緒に巻くことを含む、項目１７に記載の方法。
（項目１９）
各導体は、銅合金の少なくとも２００本のワイヤストランドを備えている、項目１７に記載の方法。
（項目２０）
前記巻き付けられた導体をＰＴＦＥの層で覆うことをさらに含む、項目１７に記載の方法。
（項目２１）
前記ＰＴＦＥ層を熱可塑性ポリカーボネートポリウレタン、アラミドアーマー層、およびシリコーン外被で覆うことをさらに含む、項目２０に記載の方法。
（項目２２）
埋め込み可能心臓ポンプとの使用のためのデバイスに給電する方法であって、前記方法は、
電力ケーブルを前記埋め込み可能心臓ポンプに電気的に接続することであって、前記電力ケーブルは、複数の導体であって、各導体は、複数のゆるく詰められた絶縁されていないワイヤストランドを備えている、導体と、前記複数の導体を覆う外側外被とを備えている、ことと、
前記電力ケーブルを通して伝送される低周波数交流電流または直流電流を使用して、前記埋め込み可能心臓ポンプに給電することと
を含む、方法。
（項目２３）
各導体の前記複数のワイヤストランドは、３０ゲージ以上の少なくとも６０本のワイヤストランドを備えている、項目２２に記載の方法。
（項目２４）
各導体は、それぞれの導体の縦軸の周りに巻き付けられているゆるく詰められた絶縁されていないワイヤストランドの複数の束を備え、前記複数の導体は、前記ケーブルの縦軸の周りに巻き付けられている、項目２２に記載の方法。
（項目２５）
前記複数のストランド、前記複数の束、および前記複数のケーブルは、リッツワイヤ構成のそれらに対応するパターンで巻き付けられている、項目２４に記載の方法。
（項目２６）
前記低周波数交流電流は、約２０ｋＨｚ未満である、項目２２に記載の方法。
（項目２７）
電気的に接続することは、前記電力ケーブルを前記埋め込み可能心臓ポンプと埋め込み可能コントローラとの間に埋め込むことを含む、項目２２に記載の方法。
（項目２８）
前記埋め込み可能心臓ポンプを前記ケーブルで給電することは、電気伝送が前記複数のワイヤストランドのうちの任意の破損ワイヤストランドを通して維持されるように、前記複数のワイヤストランドのうちの隣接する絶縁されていないワイヤストランド間で電流を伝えることを含む、項目２２に記載の方法。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
埋め込み可能心臓ポンプのためのドライブラインケーブルであって、前記ドライブラインケーブルは、
前記ケーブルの縦軸に沿って巻き付けられた複数の導体であって、各導体は、外側絶縁層内に配置された複数の絶縁されていないワイヤストランドを備え、各導体内の前記複数の絶縁されていないワイヤストランドは、前記導体が屈曲させられた場合、前記絶縁されていないワイヤストランドの大部分が他のワイヤストランドに対して移動可能であるように、ゆるく詰められており、各導体の前記複数のワイヤストランドは、３０ゲージ以上であり、各導体は、ワイヤストランドの複数の房を備え、各房は、前記複数のワイヤストランドのうちの少なくとも３２本のワイヤストランドを有する、複数の導体と、
前記巻き付けられた複数の導体の周りに配置された外側外被と
を備えている、ドライブラインケーブル。
【請求項２】
各導体の前記複数のストランドは、前記導体の縦軸に沿って第１の巻き付けパターンで一緒に巻き付けられたワイヤストランドの複数の絶縁されていない束を備えている、請求項１に記載のドライブラインケーブル。
【請求項３】
各束は、それぞれの束の縦軸に沿って第２の巻き付けパターンで一緒に巻き付けられたワイヤストランドの複数の房を備えている、請求項２に記載のドライブラインケーブル。
【請求項４】
ワイヤストランドの各房は、それぞれの房の縦軸に沿って第３の巻き付けパターンで一緒に巻き付けられたワイヤストランドの群を備えている、請求項３に記載のドライブラインケーブル。
【請求項５】
前記複数の絶縁された導体は、前記ケーブルの縦軸に沿って第４の巻き付けパターンで巻き付けられている、請求項４に記載のドライブラインケーブル。
【請求項６】
前記第３の巻き付けパターンは、前記導体を中心コアの周囲に前記コアの縦軸に沿って０．７５インチ以下のピッチで巻くことを含む、請求項４に記載のドライブラインケーブル。
【請求項７】
前記第１、第２、および第３の巻き付けパターンは、リッツワイヤ巻き付け構成のそれらに対応する、請求項４に記載のドライブラインケーブル。
【請求項８】
前記リッツワイヤ巻き付け構成は、タイプ５リッツワイヤ構成に対応する、請求項７に記載のドライブラインケーブル。
【請求項９】
各導体の前記複数のワイヤストランドは、３×３×３２構成で巻き付けられている、請求項４に記載のドライブラインケーブル。
【請求項１０】
各導体の前記複数のワイヤストランドは、合計で少なくとも２００本のワイヤストランドを備えている、請求項１に記載のドライブラインケーブル。
【請求項１１】
各導体の前記複数のワイヤストランドは、銅合金のストランドである、請求項１に記載のドライブラインケーブル。
【請求項１２】
前記１つ以上の導体は、前記ケーブルの中実コアの周りに巻かれた６本の絶縁された導体を備え、各導体は、２８８本の絶縁されていない銅ストランドを備えている、請求項１１に記載のドライブラインケーブル。
【請求項１３】
埋め込み可能心臓ポンプとの使用のための電力ケーブルを組み立てる方法であって、前記方法は、
複数の絶縁されていないワイヤストランドを巻き付け、複数の房を形成することであって、各房の前記ワイヤストランドは、それぞれの房の縦軸に沿って第１の巻き付けパターンで巻き付けられ、前記ケーブルが屈曲させられた場合、各房内の前記ワイヤストランドの大部分が前記房の他のワイヤストランドに対して移動可能であるように、ゆるく詰められている、ことと、
前記複数の房を巻き付け、複数の束を形成することであって、各束は、それぞれの束の縦軸に沿って第２の巻き付けパターンで巻き付けられたワイヤストランドの複数の房を備えている、ことと、
前記複数の束を巻き付け、複数の導体を形成することであって、前記複数の導体の各導体は、それぞれの導体の縦軸に沿って第３の巻き付けパターンで巻き付けられたワイヤストランドの複数の束を備えている、ことと、
前記電力ケーブルの縦軸に沿って第４の巻き付けパターンで前記複数の導体を一緒に巻き付けることと、
前記巻き付けられた複数の導体を外側絶縁層で覆うことと
を含む、方法。
【請求項１４】
前記複数の導体を前記第４の巻き付けパターンで一緒に巻き付ける前に、前記複数の導体の各々を外側絶縁層で覆うことをさらに含む、請求項１３に記載の方法。
【請求項１５】
前記第１、第２、および第３の巻き付けパターンは、リッツワイヤ構成に対応する、請求項１３に記載の方法。
【請求項１６】
前記複数の導体は、前記ケーブルの中心コアの周囲に巻かれた少なくとも６本の導体を備えている、請求項１３に記載の方法。
【請求項１７】
前記導体を巻き付けることは、前記ケーブルの縦軸に沿って０．７５インチ以下のピッチで前記導体を一緒に巻くことを含む、請求項１６に記載の方法。
【請求項１８】
各導体は、銅合金の少なくとも２００本のワイヤストランドを備えている、請求項１６に記載の方法。
【請求項１９】
前記巻き付けられた導体をＰＴＦＥの層で覆うことをさらに含む、請求項１６に記載の方法。
【請求項２０】
前記ＰＴＦＥ層を熱可塑性ポリカーボネートポリウレタン、アラミドアーマー層、およびシリコーン外被で覆うことをさらに含む、請求項１９に記載の方法。
【国際調査報告】
2017535304.tif 000014
2017535304.tif 000015
2017535304.tif 000016